(57)【特許請求の範囲】
【請求項１】
車両に設けられた挟持部に挟持されるホースの外周面と上記挟持部の内周面との間に装着され伸縮可能に構成される装着部と、
上記装着部の両端に径方向に突出するように形成され、端同士を互いに係合可能な一対の係合部と、
上記係合部に、上記挟持部に形成される保持受け部に固定可能に構成される保持部と、を有し、
上記係合部同士の係合によって装着部が筒状をなすことにより、上記ホースを挟んだ状態で装着部が上記挟持部に押し込まれて挟持されると共に、上記係合部の保持部が保持受け部に固定される
車両のホース用クリップ。
【請求項２】
上記装着部の外周面に、上記挟持部によって回転方向への動きが規制される回り止め部を設けた
請求項１記載の車両のホース用クリップ。
【請求項３】
上記挟持部は、上記クリップの外周方向に延設される凸部が備えられた２つの挟持片を有し、
上記回り止め部は、上記２つの挟持片の凸部の中心を結ぶ直線に対し対角線上に設けられ、
上記挟持片の凸部の左右の側面の片側にのみ保持される
請求項２記載の車両のホース用クリップ。
【請求項４】
車両に設けられた挟持部での挟持によりホースを固定する車両のホース固定構造であって、
上記挟持部に挟持されたホースの外周面と上記挟持部の内周面との間に装着され伸縮可能に構成される装着部を有するホース用クリップを備え、
該クリップは、上記装着部の両端に径方向に突出するように形成され、端同士を互いに係合可能な一対の係合部と、
該係合部に形成した保持部とを有し、
上記挟持部には、上記保持部に対応する保持受け部が形成され、
上記クリップは、上記係合部同士の係合によって上記装着部が筒状をなすことにより、上記ホースを挟んだ状態で装着部が上記挟持部に押し込まれて挟持されると共に、上記係合部の保持部が保持受け部に固定される
クリップを用いた車両のホース固定構造。
【請求項５】
上記挟持部の内周面と上記クリップの装着部の外周面との間の摩擦係数が、上記ホースの外周面と上記クリップの装着部の内周面との間の摩擦係数よりも小さくなるように、上記挟持部と上記クリップとを構成する
請求項４記載のクリップを用いた車両のホース固定構造。
【請求項６】
上記クリップには、上記装着部の外周面に、上記挟持部によって回転方向への動きが規制される回り止め部が設けられる
請求項５記載のクリップを用いた車両のホース固定構造。
【請求項７】
上記挟持部は、上記クリップの外周方向に延設される凸部が備えられた２つの挟持片を有するとともに、
上記回り止め部は、上記２つの挟持片の凸部の中心を結ぶ直線に対し対角線上に設けられ、
上記挟持片の凸部の左右の側面の片側にのみ保持される
請求項６記載のクリップを用いた車両のホース固定構造。
【請求項８】
上記ホースは、ラジエタホースであり、上記挟持部によってラジエタのシュラウドに沿うように固定される
請求項４〜７のいずれか一項に記載のクリップを用いた車両のホース固定構造。
【発明の詳細な説明】
【技術分野】
【０００１】
この発明は、車両に設けられた挟持部に挟持されるホースの外周面と上記挟持部の内周面との間に装着可能に構成される車両のホース用クリップ及びそのクリップを用いた車両のホース固定構造に関する。
【背景技術】
【０００２】
従来から、自動車内に配設されたホースを、挟持部を備えたクリップで挟持することにより、クリップを介して相手部材に固定する構造が知られている。
【０００３】
この場合、車両走行時等の車体の振動やエンジンの振動等によってホースが変形または変位することを抑制でき、相手部材からホースが外れてしまうことを防止できる。
【０００４】
このような構成をなすものとしては、例えば、下記特許文献１に開示された構造が挙げられる。下記特許文献１では、伸縮可能な樹脂製の網状筒体をホースの外周面に装着するとともに、この網状筒体の外周側をクリップにより挟持することで、ホース外周面とクリップの内周面との間に網状筒体を介在させるようにしたものが開示されている。
【０００５】
この場合、ホース外周面とクリップの内周面との間に介在物が存在することで、両者間の隙間を適切に埋めることができる。このため、ホースをクリップによって確実に所定位置に拘束することができ、振動によるホースの外れを抑制することが可能になる。
【特許文献１】特開２００１−３２９６４号公報
【発明の開示】
【発明が解決しようとする課題】
【０００６】
しかしながら、網状筒体のような介在物をホースとクリップの間に介在させたとしても、両者間の隙間の程度や、上記振動の程度が大きい場合には、依然としてホースおよび網状筒体がクリップの挟持部から抜け出してしまう虞があり、ホースがクリップ、つまりは相手部材から外れることを確実に抑制するには不十分であった。
【０００７】
また、上記特許文献１に開示された従来構造の場合、ホースを相手部材に固定する作業では、先ず、ホースの端部から網状筒体を通し、これをホースに沿って所定位置までスライド移動させるという煩雑な作業を行わなければならなかった。
【０００８】
この発明は、ホースが挟持部から抜け出すことを確実に防止するとともに、ホースの固定作業を簡素化することを可能にする車両のホース用クリップ及びそのクリップを用いた車両のホース固定構造を提供することを目的とする。
【課題を解決するための手段】
【０００９】
この発明の車両のホース用クリップは、車両に設けられた挟持部に挟持されるホースの外周面と上記挟持部の内周面との間に装着され伸縮可能に構成される装着部と、上記装着部の両端に径方向に突出するように形成され、端同士を互いに係合可能な一対の係合部と、上記係合部に、上記挟持部に形成される保持受け部に固定可能に構成される保持部と、を有し、上記係合部同士の係合によって装着部が筒状をなすことにより、上記ホースを挟んだ状態で装着部が上記挟持部に押し込まれて挟持されると共に、上記係合部の保持部が保持受け部に固定されるものである。
【００１０】
この構成によれば、クリップが、上記挟持部に形成される保持受け部に固定可能に構成される保持部を有することで、該保持部の固定によりクリップおよびホースを所定位置に強固に固定することができ、車体等の振動に起因してホース（クリップ）が挟持部からの抜け出すことを確実に防止できる。  
さらに、係合部の係合により装着部を筒状にし、ホースを装着部の間に挟んだ状態にしてクリップを装着することができるため、クリップをホースの所定位置に容易に位置決めすることができ、ホースに対するクリップ装着作業、つまり、ホースの固定作業を簡素化することができる。
【００１１】
この発明の一実施態様においては、上記装着部の外周面に、上記挟持部によって回転方向への動きが規制される回り止め部を設けたものである。
【００１２】
この構成によれば、クリップが挟持部により挟持されている状態では、回り止め部によりホースの回転方向（捩れ方向）の動きを規制することができ、回転方向の摩擦に起因するホースの摩耗を確実に抑制できる。
【００１３】
この発明の一実施態様においては、上記挟持部が、上記クリップの外周方向に延設される凸部が備えられた２つの挟持片を有し、上記回り止め部は、上記２つの挟持片の凸部の中心を結ぶ直線に対し対角線上に設けられ、上記挟持片の凸部の左右の側面の片側にのみ保持されるものである。
【００１４】
この構成によれば、回り止め部を、２つの挟持片の凸部の中心を結ぶ直線に対し対角線上に設けることで、クリップの型抜き成形時には、クリップの円筒部分の延び方向に沿って適切に型抜きを行うことができ、これによって成形作業が容易になる。  
さらに、上記挟持片の凸部の左右の側面の片側にのみ保持されるように構成されるように回り止め部を設けることで、挟持片が、クリップの外周方向に延設される凸部を備える場合には、必要最小限の回り止め部でホースの回転方向の動きを確実に規制することが可能になる。このため、回り止め部の数の削減により構成の簡素化が図れ、クリップの製造コスト削減を図ることができる。  
さらに、２つの挟持片の凸部の左右側方に回り止め部が１つずつ設けられることになるため、ホースの延設方向の振動についてもこれを確実に抑制することができる。
【００１５】
この発明の車両のホース固定構造は、車両に設けられた挟持部での挟持によりホースを固定する車両のホース固定構造であって、上記挟持部に挟持されたホースの外周面と上記挟持部の内周面との間に装着され伸縮可能に構成される装着部を有するホース用クリップを備え、該クリップは、上記装着部の両端に径方向に突出するように形成され、端同士を互いに係合可能な一対の係合部と、該係合部に形成した保持部とを有し、上記挟持部には、上記保持部に対応する保持受け部が形成され、上記クリップは、上記係合部同士の係合によって上記装着部が筒状をなすことにより、上記ホースを挟んだ状態で装着部が上記挟持部に押し込まれて挟持されると共に、上記係合部の保持部が保持受け部に固定されるものである。
【００１６】
この構成によれば、クリップが、上記挟持部に形成される保持受け部に固定可能に構成される保持部を有することで、該保持部の固定によりクリップおよびホースを所定位置に強固に固定することができ、車体等の振動に起因してホース（クリップ）が挟持部からの抜け出すことを確実に防止できる。  
さらに、係合部の係合により装着部を筒状にし、ホースを装着部の間に挟んだ状態にしてクリップを装着することができるため、クリップをホースの所定位置に容易に位置決めすることができ、ホースに対するクリップ装着作業、つまり、ホースの固定作業を簡素化することができる。
【００１７】
この発明の一実施態様においては、上記挟持部の内周面と上記クリップの装着部の外周面との間の摩擦係数が、上記ホースの外周面と上記クリップの装着部の内周面との間の摩擦係数よりも小さくなるように、上記挟持部と上記クリップとを構成するものである。
【００１８】
この構成によれば、クリップの装着部の内周面とホースの外周面との関係においては、摩擦係数が大きく設定されることにより、振動発生時においてホースがクリップに対して相対的に変位することを抑制でき、両者の摩擦に起因するホースの摩耗を抑制することができる。  
さらに、装着部のクリップの外周面と挟持部の内周面との関係においては、摩擦係数が小さく設定されることにより、ホースおよびクリップを挟持部に嵌め込む際、その嵌め込みを円滑に行うことができ、これによって作業者の負担を軽減することができる。
【００１９】
この発明の一実施態様においては、上記クリップには、上記装着部の外周面に、上記挟持部によって回転方向への動きが規制される回り止め部が設けられるものである。
【００２０】
この構成によれば、クリップが挟持部により挟持されている状態では、回り止め部によりホースの回転方向（捩れ方向）の動きを規制することができ、回転方向の摩擦に起因するホースの摩耗を確実に抑制できる。
【００２１】
この発明の一実施態様においては、上記挟持部が、上記クリップの外周方向に延設される凸部が備えられた２つの挟持片を有するとともに、上記回り止め部は、上記２つの挟持片の凸部の中心を結ぶ直線に対し対角線上に設けられ、上記挟持片の凸部の左右の側面の片側にのみ保持されるものである。
【００２２】
この構成によれば、上記回り止め部が、上記２つの挟持部の凸部の中心を結ぶ直線に対し対角線上に設けられ、上記挟持片の凸部の左右の側面の片側にのみ保持されるように構成されることで、必要最小限の回り止め部でホースの回転方向の動きを確実に規制することが可能になる。このため、回り止め部の数の削減により構成の簡素化が図れ、クリップの製造コスト削減を図ることができる。  
さらに、２つの挟持片の凸部の左右側方に回り止め部が１つずつ設けられることになるため、ホースの延設方向の振動についてもこれを確実に抑制することができる。
【００２３】
この発明の一実施態様においては、上記ホースが、ラジエタホースであり、上記挟持部によってラジエタのシュラウドに沿うように固定されるものである。
【００２４】
この構成によれば、エンジンの振動の影響を受け易いラジエタ接続用のホースをシュラウドに沿うように保持する場合、クリップの使用によるホースの抜け防止の効果がより顕著となる。
【発明の効果】
【００２５】
この発明によれば、クリップが、上記挟持部に形成される保持受け部に固定可能に構成される保持部を有することで、該保持部の固定によりクリップおよびホースを所定位置に強固に固定することができ、車体等の振動に起因してホース（クリップ）が挟持部からの抜け出すことを確実に防止できる。  
さらに、係合部の係合により装着部を筒状にし、ホースを装着部の間に挟んだ状態にしてクリップを装着することができるため、クリップをホースの所定位置に容易に位置決めすることができ、ホースに対するクリップ装着作業、つまり、ホースの固定作業を簡素化することができる。
【発明を実施するための最良の形態】
【００２６】
以下、図面に基づいて本発明の実施形態を詳述する。  
図１は、本発明の実施形態に係るホース固定構造を備えた車両のエンジンルームを示す平面図であり、図２は、図１のラジエタ周辺の構成を拡大して示す斜視図である。なお、図中において矢印（Ｆ）は車両前方、矢印（Ｒ）は車両後方を示す。
【００２７】
エンジンルームＥＲは、バンパ１の後部に設けられたラジエタ２およびシュラウドパネル（図示せず）で構成された前壁、車体の左右側方に配置されたホイールエプロン（図示せず）で構成された側壁、エンジンルームＥＲと客室とを仕切るダッシュパネル（図示せず）で構成された後壁の以上の四方で囲まれることにより形成された空間である。
【００２８】
ラジエタ２は、エンジン３を冷却するものであり、ラジエタ２の上端部は、その車幅方向両端において、支持部材４とマウントラバー（図示せず）とを介してシュラウドアッパメンバ５に支持されている。さらに、ラジエタ２は、その下端部が、クロスメンバ（図示せず）に接合されたブラケットおよびマウントラバーの孔部に挿入されることにより、上記ブラケットを介して上記クロスメンバに支持されている。
【００２９】
また、車両には、エンジンルームＥＲ内において、ラジエタ２の後方に、図２に示すような空調用のアドファン６１と、エンジン冷却用の電動ファン６２とを備えたファンシュラウド６が設けられている。なお、図１においては、図示の便宜上、アドファン６１および電動ファン６２の図示を省略しており、これらを図２のみに示している。
【００３０】
ラジエタ２には、図１、図２に示すように、エンジン３へ冷却水を送る往路を構成するラバー製のホース７と、エンジン３からの冷却水が戻る復路を構成するラバー製のホース８と、ラバー製の中間ホース９とが連結されている。このうち、中間ホース９は、エンジン冷却水を気水分離するディガスタンク１０をホース７に連結し、このホース７を介してディガスタンク１０をラジエタ２に連結している。
【００３１】
ここで、ラジエタ２から導出されたエンジン冷却水は、ホース７を介してエンジン３内に入り、エンジン３内を循環した後ホース８に導出され、該ホース８を介してラジエタ２に戻る。
【００３２】
ところで、本実施形態では、車両走行時等の車体の振動、またはエンジン３の振動等によるホース７に起因してその位置が変化することのないように、ホース７が、後述するクリップ部材１１を介してファンシュラウド６の下部の挟持部６３に挟持されており、これによってホース７はファンシュラウド６に沿った所定位置に固定されている。
【００３３】
図３は、本発明の実施形態に係るホース固定構造を示す要部拡大斜視図であり、図４、図５は、それぞれ挟持部を車両後方、前方から見た斜視図である。図３〜図５に示すように、挟持部６３は、その上下において互いが対向するように２つの挟持片６３ａ、６３ａを有しており、両挟持片６３ａ、６３ａの間には、開口部６３ｂが形成されている。
【００３４】
挟持片６３ａは、ホース７の延設方向（ここでは、車幅方向）中央部からクリップ部材１１の外周方向に延設される挟持凸部６３ａ１を備えており、挟持凸部６３ａ１の、ホース７の延設方向（左右）両側方には、挟持凸部６３ａ１よりも相対的に車両前方に退避した側面部６３ａ２が形成されている。
【００３５】
また、開口部６３ｂにおいては、図４、図５に示すように、車両前方側に向かって半円弧状に凹む開口縁部６３ｃ、６３ｃが車幅方向両側に形成されており、この開口縁部６３ｃ、６３ｃの隙間を通じて、車両前側と連通している。
【００３６】
また、挟持部６３には、図５に示すように、ファンシュラウド６の車両前面側において凹部６３ｄが形成されており、開口縁部６３ｃは、挟持部６３の他の部位よりも薄肉とされている。
【００３７】
ところで、ホース７の外周面には、該ホース７の形状に合わせて円筒状に形成されたクリップ部材１１が装着されており、ホース７は、クリップ部材１１が挟持部６３に挟持されることによって、ホース７の外周面と挟持部６３の内周面との間にクリップ部材１１が装着されている。
【００３８】
図６は、クリップ部材を示す三面図であり、（ａ）は側面図、（ｂ）は正面図、（ｃ）は底面図である。クリップ部材１１には、図３および図６に示すように、断面半円弧状に装着部１１ａ、１１ａが形成されており、クリップ部材１１は、この２つの装着部１１ａ、１１ａによりホース７を挟みながらその外周面を筒状に覆うように装着されている。
【００３９】
そして、装着部１１ａ、１１ａの外周面には、円筒部分の延び方向両端部において、径方向に突出する回り止め部１１ｂ、１１ｂが形成されている。
【００４０】
図３に示すホース７の固定状態では、回り止め部１１ｂが上下２つの挟持凸部６３ａ１の中心を結ぶ直線Ｘに対し対角線上に設けられており、この回り止め部１１ｂは、挟持凸部６３ａ１の左右の側面部６３ａ２の片側にのみ当接し、これに保持されている。
【００４１】
ところで、クリップ部材１１は、図６に示すように、上述した２つの装着部１１ａ、１１ａがヒンジ部１１ｃにより接続され、これらが一体的に形成されている。そして、クリップ部材１１は、例えば、ナイロン等の樹脂製とされており、これにより全体的に可撓性を有している。それ故に、装着部１１ａ、１１ａは、ヒンジ部１１ｃの可撓性変形によってこれを中心に回動可能となっており、このヒンジ部１１ｃを中心とした回動によって、端同士を互いに後述する一対の係合部１１ｄ、１１ｅで係合させることが可能になっている。
【００４２】
両装着部１１ａ、１１ａの自由端側には、径方向に突出する係合部１１ｄ、１１ｅが形成されており、それぞれ係合凸部１１ｆ、被係合凹部１１ｇを有している。これにより、両装着部１１ａ、１１ａを互いに近接させる方向に回動させ、一方の係合凸部１１ｆを他方の被係合凹部１１ｇに嵌め込んで係合させることにより、図７に示すように、クリップ部材１１は筒状をなすようになっている。
【００４３】
また、係合部１１ｄ、１１ｅの側面には、爪部１１ｈ、１１ｈが一体的に形成されている。
【００４４】
ここで、ホース７をファンシュラウド６の挟持部６３において固定させる際には、先ず、図６に示すように係合部１１ｄ、１１ｅが互いに離反した状態で、挟持部６３の位置に対応するホース７の部位を装着部１１ａ間に配置する。そして、両装着部１１ａを回動させて係合凸部１１ｆと被係合凹部１１ｇとを係合させ、図７に示すように、ホース７の一部を装着部１１ａで挟みながら筒状に覆い、クリップ部材１１をホース７に装着する。
【００４５】
ここで、クリップ部材１１は、上述したように可撓性を有することにより、装着部１１ａが径方向に伸縮可能とされており、装着部１１ａおよびホース７を上下方向に収縮させて扁平状に変形させることが可能になっている。クリップ部材１１の装着後は、装着部１１ａおよびホース７を扁平状に変形させたままの状態で、係合部１１ｄ、１１ｅがファンシュラウド６側を向くようにし、クリップ部材１１を挟持部６３の挟持片６３ａの間に挿入する。
【００４６】
この時、装着部１１ａの回り止め部１１ｂが挟持片６３ａの側面部６３ａ２に当接するまでクリップ部材１１を押し込むと、クリップ部材１１が挟持片６３ａによって挟持されるとともに、係合部１１ｄ、係合部１１ｅの爪部１１ｈ、１１ｈが、挟持部６３の開口縁部６３ｃと当接し、その先端部同士の互いの距離が狭まる方向に変形させられるようになっている。
【００４７】
そして、さらなるクリップ部材１１の押し込みによって爪部１１ｈの先端部が開口縁部６３ｃを乗り越えた時、爪部１１ｈは、図８、図９（図９は、図８におけるＡ−Ａ線矢視断面図）、および図１０（図１０は、図９に示すＢ−Ｂ線矢視断面図）に示すように、薄肉に形成された開口縁部６３ｃにて固定されるようになっている。
【００４８】
このように、クリップ部材１１を用いてホース７をファンシュラウド６に固定するものにおいて、クリップ部材１１が、挟持部６３に形成される開口縁部６３ｃに固定可能に構成される爪部１１ｈを有することで、爪部１１ｈの固定によりクリップ部材１１およびホース７を所定位置に強固に固定することができ、車体等の振動に起因してホース７（クリップ部材１１）が挟持部６３（ファンシュラウド６）からの抜け出すことを確実に防止できる。
【００４９】
さらに、係合部１１ｄ、１１ｅの係合により装着部１１ａを筒状にし、ホース７を装着部１１ａの間に挟んだ状態にしてクリップ部材１１を装着することができるため、クリップ部材１１をホース７の所定位置に容易に位置決めすることができる。従って、従来の網状筒体のように、ホースの端から通した後、これに沿って所定位置までスライド移動させるといった煩雑な作業が不要となり、ホース７に対するクリップ部材１１の装着作業、つまり、ホース７の固定作業を簡素化することができる。
【００５０】
また、本実施形態では、ホース７がラバー製とされる一方、その他クリップ部材１１、挟持部６３（ファンシュラウド６）が、例えばナイロン、ポリプロピレン（ＰＰともいう）といった素材からなる樹脂製とされ、クリップ部材１１の装着部１１ａの外周面、内周面において、装着部１１ａの外周面と挟持部６３の内周面との間の摩擦係数が、装着部１１ａの内周面とホース７の外周面との間の摩擦係数よりも小さく設定されている。
【００５１】
この場合、装着部１１ａの内周面とホース７の外周面との関係においては、摩擦係数が大きく設定されることにより、振動発生時においてホース７がクリップ部材１１に対して相対的に変位することを抑制でき、両者の摩擦に起因するホース７の摩耗を抑制することができる。
【００５２】
さらに、装着部１１ａの外周面と挟持部６３の内周面との関係においては、摩擦係数が小さく設定されることにより、ホース７およびクリップ部材１１を挟持部６３に嵌め込む際、その嵌め込みを円滑に行うことができ、これによって作業者の負担を軽減することができる。
【００５３】
また、クリップ部材１１が挟持部６３により挟持されている状態では、回り止め部１１ｂが側面部６３ａ２に保持されることにより、ホース７の回転方向（捩れ方向）の動きを規制することができる。このため、回転方向の摩擦に起因するホース７の摩耗を確実に抑制できる。
【００５４】
ところで、クリップ部材１１に関し、その型抜き成形を行う場合には、係合部１１ｄ、１１ｅ等の成形を考慮すると、型抜きの方向が、図１１に示すように円筒部分の延び方向となるが、この場合、直線Ｘに対し回り止め部１１ｂを対角線上に設けることで、図１１（ａ）にて太矢印で示すように、円筒部分の延び方向に沿った型抜きを適切に行うことができ、成形作業が容易になる。
【００５５】
一方、図１１（ｂ）に示す回り止め部１１ｂ′のように、回り止め部を筒状部分の同じ角度位置に形成することも考えられるが、この場合、円筒部分の延び方向に沿って型抜きしようとしても、いずれか一方の回り止め部１１ｂ′により、型抜きが阻止されることになってしまう。このため、図中の破線で囲んだ領域Ｙ、つまり２つの回り止め部１１ｂ′、１１ｂ′により挟まれた領域の型抜きはできないことになる。
【００５６】
また、図１１（ｂ）に示す構成では、全ての側面部６３ａ２に対応して回り止め部１１ｂ′が形成される構成となっているが、ホース７（クリップ部材１１）の回転方向の動きを規制するのであれば、図１１（ａ）に示す本実施形態のように、回り止め部１１ｂは、左右の側面部６３ａ２の何れかに対応して少なくとも１つ形成されていればよく、図１１（ｂ）に示す構成では、回り止め部１１ｂ′が必要以上に形成されていることになる。
【００５７】
つまり、本実施形態のように、回り止め部１１ｂを直線Ｘに対し対角線上に設け、これが挟持凸部６３ａ１の左右の側面部６３ａ２の片側にのみ保持されるように構成することで、必要最小限の回り止め部１１ｂでホース７の回転方向の動きを確実に規制することが可能になり、回り止め部１１ｂの数の削減により構成の簡素化が図れ、クリップ部材１１の製造コスト削減を図ることができる。
【００５８】
さらに、この場合、２つの挟持凸部６３ａ１の左右側方に回り止め部１１ｂが１つずつ設けられることになるため、ホース７の延設方向の振動についてもこれを確実に抑制することができる。
【００５９】
また、車両においては、エンジンルームＥＲ内が特にエンジン３の振動の影響を受け易い領域であるために、他の部位よりも重点的に振動対策を施すことが求められる。そこで、本実施形態のように、ラジエタ２との接続用にエンジンルームＥＲ内に配設されるホース７をファンシュラウド６に沿うように保持するものに対して、本発明のクリップ部材１１を使用すれば、ホース７の抜け防止の効果はより顕著なものとなる。
【００６０】
ただし、本発明は、上述のようにラジエタ２の接続用に配設されるホース７の固定構造に対して適用することに必ずしも限定されるものではない。少なくとも車体等の振動の影響を受ける部位であって、ホースを、ファンシュラウド６のような樹脂製の相手部材に固定する構造であれば本発明を適用することができる。
【００６１】
また、上述した実施形態では、クリップ部材１１側に保持部としての爪部１１ｈ、挟持部６３側に保持受け部としての開口縁部６３ｃを形成することとしたが、必ずしもこれに限定されるものではなく、挟持部６３に保持受け部としての爪部、クリップ部材１１側にこの爪部に対応する保持部を形成してもよい。
【００６２】
また、上述した実施形態では、クリップ部材１１の装着部１１ａ同士をヒンジ部１１ｃにより接続する構成としたが、必ずしもこれに限定されるものではなく、例えば、２つの装着部を完全に分離可能に構成し、ヒンジ部１１ｃの代わりに第２の係合部対を形成して、２箇所の係合により両者を連結させるようにしてもよい。
【００６３】
この発明の構成と、上述の実施形態との対応において、
この発明の一対の係合部は、係合部１１ｄ、１１ｅに対応し、
以下同様に、
保持受け部は、開口縁部６３ｃに対応し、
保持部は、爪部１１ｈに対応し、
凸部は、挟持凸部６３ａ１に対応するも、
この発明は、上述の実施形態の構成のみに限定されるものではなく、多くの実施の形態を得ることができる。
【図面の簡単な説明】
【００６４】
【図１】この発明の実施形態に係るホース固定構造を備えた車両のエンジンルームを示す平面図。
【図２】図１のラジエタ周辺の構成を拡大して示す斜視図。
【図３】本発明の実施形態に係るホース固定構造を示す要部拡大斜視図。
【図４】挟持部を車両後方から見た斜視図。
【図５】挟持部を車両前方から見た斜視図。
【図６】クリップ部材を示す三面図であり、（ａ）側面図、（ｂ）正面図、（ｃ）底面図。
【図７】クリップ部材の装着部の端同士を係合した状態を示す斜視図。
【図８】クリップ部材の爪部を挟持部の開口縁部に固定した状態を示す斜視図。
【図９】図８におけるＡ−Ａ線矢視断面図。
【図１０】図９におけるＢ−Ｂ線矢視断面図。
【図１１】クリップ部材の片抜き成形を説明するための説明図であり、（ａ）本発明実施形態に係るクリップ部材の場合を示す図、（ｂ）回り止め部が円筒部分の同じ角度位置に配置されたクリップ部材の場合を示す図。
【符号の説明】
【００６５】
２…ラジエタ
６…ファンシュラウド
７、８…ホース
１１…クリップ部材
１１ａ…装着部
１１ｂ…回り止め部
１１ｄ、１１ｅ…係合部
１１ｈ…爪部（保持部）
６３…挟持部
６３ａ…挟持片
６３ａ１…挟持凸部（凸部）
６３ｃ…開口縁部（保持受け部）
【図１】
0005206136.tif 000002
【図２】
0005206136.tif 000003
【図３】
0005206136.tif 000004
【図４】
0005206136.tif 000005
【図５】
0005206136.tif 000006
【図６】
0005206136.tif 000007
【図７】
0005206136.tif 000008
【図８】
0005206136.tif 000009
【図９】
0005206136.tif 000010
【図１０】
0005206136.tif 000011
【図１１】
0005206136.tif 000012